【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
通信システムであって、
第一通信装置は、通信パラメータの設定開始の指示に応答して、識別情報を含むメッセージを第二通信装置に送信する送信手段を有し、
前記第二通信装置は、
前記メッセージを送信した前記第一通信装置が登録されているか否かを判断する判断手段と、
前記判断手段による判断に応じて、前記メッセージに含まれる前記識別情報に基づいて、前記第一通信装置が通信パラメータの設定対象機器であるか否かを判定する判定手段と、
前記判定手段による判定に応じて、前記第一通信装置との間で通信パラメータの設定を行う設定手段と、
を有することを特徴とする通信システム。
【請求項２】
前記送信手段は、前記メッセージを暗号化して送信することを特徴とする請求項１に記載の通信システム。
【請求項３】
前記通信パラメータは、暗号方式に関する情報を含むことを特徴とする請求項１又は２記載の通信システム。
【請求項４】
前記識別情報は、前記通信パラメータの設定開始の指示がなされた時刻に基づく情報を含むことを特徴とする請求項１乃至３の何れか１項に記載の通信システム。
【請求項５】
前記第一通信装置は、前記第二通信装置から送信される情報に基づいて、前記第一通信装置の時間を管理する管理手段を有することを特徴とする請求項４に記載の通信システム。
【請求項６】
前記管理手段は、時間を管理するための情報が複数の第二通信装置から送信されている場合には、前記第二通信装置毎に時間を管理することを特徴とする請求項５に記載の通信システム。
【請求項７】
前記管理手段は、前記第二通信装置から送られた時間に関する情報と、前記第一通信装置が管理する時間との差分を算出することを特徴とする請求項５又は６に記載の通信システム。
【請求項８】
前記識別情報は、前記第一通信装置における前記通信パラメータの設定開始の指示がなされた時刻から前記第一通信装置が特定の処理を行うまでの時間に関する情報を含むことを特徴とする請求項１乃至３の何れか１項に記載の通信システム。
【請求項９】
前記識別情報は、ユーザにより入力された情報を含むことを特徴とする請求項１乃至３の何れか１項に記載の通信システム。
【請求項１０】
前記判断手段は、前記第一通信装置よりの前記識別情報と、前記第二通信装置が管理する情報とに基づいて前記第一通信装置が通信パラメータの設定対象機器であるか否かを判断することを特徴とする請求項１乃至９のいずれか１項に記載の通信システム。
【請求項１１】
前記第二通信装置は、前記判定手段による判定に応じて、送信電力を変更する手段を更に有することを特徴とする請求項１乃至１０のいずれか１項に記載の通信システム。
【請求項１２】
前記設定手段は、前記通信パラメータを暗号化するための情報を通知する通知手段と、
前記通知手段により通知した暗号化するための情報により前記通信パラメータを暗号化する暗号手段と、
前記暗号手段により暗号化した通信パラメータを前記第一通信装置に送信する送信手段と、を有することを特徴とする請求項１乃至１１のいずれか１項に記載の通信システム。
【請求項１３】
前記第二通信装置は、前記設定手段により通信パラメータの設定を行った第一通信装置を登録する登録手段を有することを特徴とする請求項１乃至１２のいずれか１項に記載の通信システム。
【請求項１４】
前記第二通信装置は、ネットワーク識別子を含んだ情報を送信する手段を更に具備し、
前記第一通信装置の前記送信手段は、前記ネットワーク識別子を含む前記メッセージを前記第二通信装置に送信することを特徴とする請求項１乃至１３のいずれか１項に記載の通信システム。
【請求項１５】
通信システムであって、
第一通信装置は、通信パラメータの設定開始の指示に応答して、当該指示を受けた時刻に対応する識別情報を含むメッセージを第二通信装置に送信する送信手段を有し、
前記第二通信装置は、
通信パラメータの設定開始の指示に応答して、当該指示を受けた時刻に対応する識別情報を設定する設定手段と、
前記メッセージに含まれる前記識別情報及び前記設定手段により設定された前記識別情報に基づいて、前記第一通信装置が通信パラメータの設定対象機器であるか否かを判定する判定手段と、
前記判定手段による判定に応じて、前記第一通信装置との間で通信パラメータの設定を行うパラメータ設定手段と、
を有することを特徴とする通信システム。
【請求項１６】
通信システムであって、
第一通信装置は、通信パラメータの設定開始の指示に応答して、該指示から計時された時間に応じた識別情報を第二通信装置に送信する送信手段とを有し、
前記第二通信装置は、
通信パラメータの設定開始の指示に応答して時間を計時する計時手段と、
前記送信手段により送られた前記識別情報及び前記計時手段により計時された時間とに基づいて、前記第一通信装置が通信パラメータの設定対象機器であるか否かを判定する判定手段と、
前記判定手段による判定に応じて、前記第一通信装置との間で通信パラメータの設定を行うパラメータ設定手段と、
を有することを特徴とする通信システム。
【請求項１７】
複数の通信装置で通信パラメータを設定する設定方法であって、
第一通信装置における通信パラメータの設定開始の指示に応答して、識別情報を含むメッセージを第二通信装置に送信する送信工程と、
前記第二通信装置において、前記メッセージに含まれる前記識別情報に基づいて、前記第一通信装置が通信パラメータの設定対象機器であるか否かを判定する判定工程と、
前記判定工程における判定に応じて、前記第一通信装置との間で通信パラメータの設定を行う設定工程と、
を有することを特徴とする通信パラメータの設定方法。
【請求項１８】
通信装置において、
他の通信装置から送信された情報を受信する受信手段と、
前記受信手段により受信した前記情報を送信した前記他の通信装置が登録されているか否かを判断する判断手段と、
前記判断手段による判断に応じて、前記他の通信装置からの情報に基づいて、前記他の通信装置が通信パラメータの設定対象機器であるか否かを判定する判定手段と、
前記判定手段による判定に応じて、前記他の通信装置との間で通信パラメータの設定処理を行う設定手段と、
を有することを特徴とする通信装置。
【請求項１９】
通信装置が他の通信装置に通信パラメータを通知する通知方法において、
他の通信装置から送信された情報を受信する受信工程と、
前記情報を送信した前記他の通信装置が登録されているか否かを判断する判断工程と、
前記判断工程における判断に応じて、前記他の通信装置からの情報に基づいて、前記他の通信装置が通信パラメータの設定対象機器であるか否かを判定する判定工程と、
前記判定工程における判定に応じて、前記他の通信装置に通信パラメータを通知する通知工程と、
を有することを特徴とする通信方法。
【請求項２０】
通信装置において、
他の通信装置から送信された時間に関する情報を受信する受信手段と、
前記受信手段により受信した時間に関する情報に基づいて、前記他の通信装置が通信パラメータの設定対象機器であるか否かを判定する判定手段と、
前記判定手段による判定に応じて、前記他の通信装置との間で通信パラメータの設定処理を行う設定手段と、
を有することを特徴とする通信装置。
【請求項２１】
通信装置において、
他の通信装置から送信された時間に関する情報を受信する受信手段と、
前記受信手段により受信した時間に関する情報と、通信パラメータの設定開始の指示を受けてからの時間とに基づいて、前記他の通信装置が通信パラメータの設定対象機器であるか否かを判定する判定手段と、
前記判定手段による判定に応じて、前記他の通信装置との間で通信パラメータの設定処理を行う設定手段と、
を有することを特徴とする通信装置。
【手続補正２】
【補正対象書類名】明細書
【補正対象項目名】発明の名称
【補正方法】変更
【補正の内容】
【発明の名称】通信システム及び通信装置と通信パラメータの設定方法
【手続補正３】
【補正対象書類名】明細書
【補正対象項目名】００１０
【補正方法】変更
【補正の内容】
【００１０】
上記目的を達成するために本発明の一態様に係る通信システムは以下のような構成を備える。即ち、
通信システムであって、
第一通信装置は、通信パラメータの設定開始の指示に応答して、識別情報を含むメッセージを第二通信装置に送信する送信手段を有し、
前記第二通信装置は、
前記メッセージを送信した前記第一通信装置が登録されているか否かを判断する判断手段と、
前記判断手段による判断に応じて、前記メッセージに含まれる前記識別情報に基づいて、前記第一通信装置が通信パラメータの設定対象機器であるか否かを判定する判定手段と、
前記判定手段による判定に応じて、前記第一通信装置との間で通信パラメータの設定を行う設定手段と、
を有することを特徴とする。
【手続補正４】
【補正対象書類名】明細書
【補正対象項目名】００１１
【補正方法】変更
【補正の内容】
【００１１】
また上記目的を達成するために本発明の一態様に係る通信パラメータの設定方法は以下のような工程を備える。即ち、
複数の通信装置で通信パラメータを設定する設定方法であって、
第一通信装置における通信パラメータの設定開始の指示に応答して、識別情報を含むメッセージを第二通信装置に送信する送信工程と、
前記第二通信装置において、前記メッセージに含まれる前記識別情報に基づいて、前記第一通信装置が通信パラメータの設定対象機器であるか否かを判定する判定工程と、
前記判定工程における判定に応じて、前記第一通信装置との間で通信パラメータの設定を行う設定工程と、
を有することを特徴とする。
【手続補正５】
【補正対象書類名】明細書
【補正対象項目名】００２９
【補正方法】変更
【補正の内容】
【００２９】
図５は、本実施の形態１に係る無線端末１０１におけるビーコン受信処理を説明するフローチャートである。この処理を実行するプログラムはＲＯＭ２０５に記憶されており、制御部２０１の制御の下に実行される。
【手続補正６】
【補正対象書類名】明細書
【補正対象項目名】００３１
【補正方法】変更
【補正の内容】
【００３１】
図６及び図７は、本実施の形態１に係る無線端末１０１における通信パラメータの設定処理を説明するフローチャートである。この処理を実行するプログラムはＲＯＭ２０５に記憶されており、制御部２０１の制御の下に実行される。
【手続補正７】
【補正対象書類名】明細書
【補正対象項目名】００３２
【補正方法】変更
【補正の内容】
【００３２】
また図８は、本実施の形態１に係るアクセスポイント１０４における通信パラメータの設定処理を説明するフローチャートである。この処理を実行するプログラムはＲＯＭ３０５に記憶されており、制御部３０１の制御の下に実行される。
【手続補正８】
【補正対象書類名】明細書
【補正対象項目名】００５２
【補正方法】変更
【補正の内容】
【００５２】
無線端末１０１は、アソシエーション応答１１０５の受信を受けて、無線端末１０１側の設定識別情報（開始時刻）を含んだ登録要求メッセージ１１０６をアクセスポイント１０４に送信する。この登録要求メッセージ１１０６は、ステップＳ６０６で、登録要求用の暗号鍵（公開鍵）で暗号化されて、ステップＳ６０７でアクセスポイント１０４に送信される。
【手続補正９】
【補正対象書類名】明細書
【補正対象項目名】００５４
【補正方法】変更
【補正の内容】
【００５４】
一方、無線端末１０１は、登録要求メッセージ１１０６を送信した時点では、第一無線ネットワーク１１０に対して未登録である。よって、アクセスポイント１０４は、この無線端末１０１が未登録の機器であると判断する。よってステップＳ８０７に進み、アクセスポイント１０４は、未登録の機器と判断された無線端末１０１からのメッセージを登録要求用の暗号鍵（秘密鍵）で復号できるか試みる。ここで登録要求用の暗号鍵で復号できなかった場合には、不正なメッセージと判断してステップＳ８１４に進み、無線リンクを切断する。
【手続補正１０】
【補正対象書類名】明細書
【補正対象項目名】００５６
【補正方法】変更
【補正の内容】
【００５６】
本実施の形態１の場合、設定識別情報は設定開始時刻であるので、アクセスポイント１０４の設定開始時刻と、無線端末１０１の設定開始時刻との差が、例えば５秒以内等のように、ある一定の範囲内であれば設定識別情報による判定を成功とする。